(57)【特許請求の範囲】
【請求項１】
熱交換器および送風機を収容した空気調和機本体の下面に化粧パネルが下側から取り付けられ、この化粧パネルに吸込グリルが着脱可能に取り付けられる天井埋込型空気調和装置において、
前記吸込グリルの４つの角部には、化粧パネルへ向けて水平方向に突出するスライド部と、このスライド部を突出及び退行可能に付勢するバネ部と、で構成され、前記スライド部と前記バネ部とが弾性を有する樹脂で一体に成形された係止部材がそれぞれ設けられ、
前記スライド部は、略長方形の平板状に形成され、突出方向前部に当該突出方向側へ向かって斜め下側に傾斜する案内部を備え、
前記バネ部は、板バネで構成され、前記スライド部の幅方向の外側に延在するとともに、退行方向に傾斜し、延在方向における左右の先端部間の距離ができるだけ離れた位置になるように形成され、
前記吸込グリルの装着時には、前記吸込グリルを前記化粧パネルへ垂直方向に押し込んで、前記案内部により、前記スライド部を対向させ、前記スライド部の各々を前記化粧パネルの係止穴に係合させ、前記吸込グリルを前記化粧パネルに取り付ける
ことを特徴とする天井埋込型空気調和装置。
【請求項２】
前記案内部は、前記化粧パネルの案内用穴に挿入されて前記係止部材を突出方向へ案内し、前記スライド部の後部には、前記化粧パネルの係止部と係合して前記係止部材を上下方向に支持する支持部とを備えたことを特徴とする請求項１に記載の天井埋込型空気調和装置。
【発明の詳細な説明】
【技術分野】
【０００１】
本発明は、天井側に取り付けられた化粧パネルに、吸込グリルを下側から着脱可能な天井埋込型空気調和装置に関する。
【背景技術】
【０００２】
従来、天井埋込型空気調和装置において、化粧パネルに取り付けられる吸込グリルを化粧パネルの下側から着脱するものが知られている。この着脱構造では、化粧パネルの下面（室内側に表出する面）から取付ねじ等が見えないようにすることが好ましい。そのため、吸込グリルの左右端部にスライド部を設け、着脱時にスライド部を手動でスライドさせて化粧パネルに係合させることにより、吸込グリルを化粧パネルに支持させたものがある（例えば、特許文献１参照）。
【特許文献１】特開平９−２８０５９５号公報
【発明の開示】
【発明が解決しようとする課題】
【０００３】
吸込グリルの着脱作業は、通常、１人で行われる。また、吸込グリルの大きさは作業者の肩幅よりも大きく、作業者が上に手を伸ばした状態で吸込グリルの左右端部のスライド部をスライドさせる作業は作業性が良いとは言えない。一方、スライド部をばねで付勢して、スライド作業を軽減する構造も考えられるが、バネ等の部品点数が多くなり、吸込グリル自体のサブ組み立ても煩雑になる。
【０００４】
そこで、本発明の目的は、部品点数の増加を少なくし、容易に吸込グリルを化粧パネルに着脱することができる空気調和装置を提供することにある。
【課題を解決するための手段】
【０００５】
上述した課題を解決するため、本発明は、熱交換器および送風機を収容した空気調和機本体の下面に化粧パネルが下側から取り付けられ、この化粧パネルに吸込グリルが着脱可能に取り付けられる天井埋込型空気調和装置において、前記吸込グリルの４つの角部には、化粧パネルへ向けて水平方向に突出するスライド部と、このスライド部を突出及び退行可能に付勢するバネ部と、で構成され、前記スライド部と前記バネ部とが弾性を有する樹脂で一体に成形された係止部材がそれぞれ設けられ、前記スライド部は、略長方形の平板状に形成され、突出方向前部に当該突出方向側へ向かって斜め下側に傾斜する案内部を備え、前記バネ部は、板バネで構成され、前記スライド部の幅方向の外側に延在するとともに、退行方向に傾斜し、延在方向における左右の先端部間の距離ができるだけ離れた位置になるように形成され、前記吸込グリルの装着時には、前記吸込グリルを前記化粧パネルへ垂直方向に押し込んで、前記案内部により、前記スライド部を対向させ、前記スライド部の各々を前記化粧パネルの係止穴に係合させ、前記吸込グリルを前記化粧パネルに取り付けることを特徴とする。
【０００８】
さらにまた、前記案内部は、前記化粧パネルの案内用穴に挿入されて前記係止部材を突出方向へ案内し、前記スライド部の後部には、前記化粧パネルの係止部と係合して前記係止部材を上下方向に支持する支持部とを備えたことを特徴とする。
【発明の効果】
【０００９】
本発明は、前記吸込グリルには、装着時に前記化粧パネルへ向けて突出し、前記化粧パネルと係合するスライド部と、このスライド部を突出及び退行可能に付勢するバネ部とで構成される係止部材が設けられ、この係止部材は、弾性を有する樹脂で一体に成形されているので、作業者が吸込グリルを装着する際に、係止部材のスライド部を手動でスライドさせる必要がなく、取付作業を容易に行うことができる。また、スライド部を付勢するためのバネ部材を別途設ける必要がないので、部品点数の増加を少なくすることができる。さらに、吸込グリルに係止部材をサブ組み立てする必要がなくなり、組み立て工数も増加しない。
【発明を実施するための最良の形態】
【００１０】
以下、本発明の一実施の形態を、添付図面を参照して説明する。
図１は、本発明の実施の形態に係る天井埋込型空気調和装置の側部断面図、図２は、天井埋込型空気調和装置の化粧パネル２１を被調和室側から見た平面図である。
【００１１】
この天井埋込型空気調和装置は、図１に示すように、板金製の空気調和機本体１を有しており、吊りボルト２で天井からつり下げられる態様で設置される。
空気調和機本体１は、下面が開口する略四角形の箱形に形成されている。図１中では、空気調和機本体１の下方が被調和室となる。この空気調和機本体１の内側には、発泡スチロール製の断熱体３が、空気調和機本体１の側板１Ａの内面に略接した状態で配置され、側板１Ａでの結露を防止している。
【００１２】
空気調和機本体１の天板１Ｂには、モータ５が固定されている。このモータ５のシャフトには羽根車７が取り付けられており、このモータ５と羽根車７とで送風機９を構成している。この送風機９と断熱体３との間には、送風機９の側方を取り囲むように、略四角形状に曲げられた熱交換器１１が取り付けられている。また、熱交換器１１の下側には、熱交換器１１の下面１１Ａを覆うように、発泡スチロール製のドレンパン１３が配置されている。このドレンパン１３は、熱交換器１１で発生するドレン水を受けるためのものである。またドレンパン１３には、送風機９のノズル１７、電装箱（図示せず）等の各種部品がねじ止めされている。
【００１３】
空気調和機本体１の下面には、図１及び図２に示すように、空気調和機本体１の下側開口を覆うように、略矩形状の化粧パネル２１が取り付けられている。この化粧パネル２１には、空調後の空気を室内へ送る吹出口２３が４つの辺に沿ってそれぞれ形成されている。この４つの吹出口２３には、図２に示すように、吹出方向を変更するフラップ２７がそれぞれ設けられている。
【００１４】
また、この化粧パネル２１には、吹出口２３に囲まれた中央部であって送風機９の下側に、吸込グリル２６を取り付けるためのグリル取付穴６０が形成されており、このグリル取付穴６０に略矩形状の吸込グリル２６が着脱可能に取り付けられている。この吸込グリル２６は、被調和室に面して吸込口２２が形成されている。また、この吸込グリル２６は、フィルタ２５を介して化粧パネル２１に取り付けられている。
【００１５】
これにより、被調和室内の空気は、送風機９によって吸込口２２から吸い込まれ、フィルタ２５を通過した後に熱交換器１１を通過して熱交換され、吹出口２３から空調後の空気が被調和室へと送られるようになる。
【００１６】
図３は、吸込グリル２６に設けられた係止部材３０の拡大図であって、空気調和機の内部側から見た図である。また、図４は、図３の斜視図、図５は、図３のＶ−Ｖ断面図である。なお、以下の説明において、突出方向とは図３に矢印で示すＡ方向（吸込グリル２６の外側へ突出する方向）をいい、退行方向とは図３に矢印で示すＢ方向（吸込グリル２６の内側に押し込まれる方向）をいうものとする。
【００１７】
吸込グリル２６は、図２に示すように、４つの角部の近傍にそれぞれ係止部材３０が設けられている。この係止部材３０を化粧パネル２１に係合させることによって、吸込グリル２６が化粧パネル２１に取り付けられることになる。この係止部材３０は、図３に示すように、吸込グリル２６の外縁部２６ａの外側に突出または退行可能なスライド部４０と、このスライド部４０を付勢するバネ部５０とで構成されている。
【００１８】
スライド部４０は、図３〜図５に示すように、上面視で略長方形をなす平板状に形成されており、長手方向が突出方向Ａ及び退行方向Ｂに向けて配置され、このＡ及びＢ方向にスライド可能になっている。このスライド部４０は、Ａ方向及びＢ方向に長手方向を有する長穴４１と、上方に向けて突出する補強リブ４２と、前部に形成された案内部４８と、スライド部４０の後部に形成された支持部４６とを備えている。
【００１９】
長穴４１の周囲は、図４に示すように、補強リブ４２によって囲繞されている。スライド部４０は、外力の作用によってこの長穴４１の部分が屈曲等しないように、曲げ強度が確保されている。この長穴４１内には、吸込グリル２６が化粧パネル２１に取り付けられた状態で、化粧パネル２１側から突出する円柱状のボスビス４４が挿入される。長穴４１の幅方向の寸法は、ボスビス４４の直径とほぼ等しくなっており、ボスビス４４によって長穴４１がガイドされることになる。これにより、スライド部４０が長穴４１の長さ分だけ移動可能となるとともに、スライド長さが規制されることになる。
また、補強リブ４２は、長穴４１から退行方向Ｂに向けて延在しており、スライド部４０の長手方向の全体における剛性を確保している。
【００２０】
案内部４８は、案内リブ４３と、この案内リブ４３上に形成された傾斜部４３ａとを備えている。案内リブ４３は、長穴４１の幅方向の中央先端部から突出方向Ａ側に向かって延びており、図４のＶＩ方向から見て（図６参照）、略逆Ｔ字形状をなしている。この案内リブ４３に形成された傾斜部４３ａは、図４及び図５に示すように、突出方向Ａ側へ向かって斜め下側に傾斜する態様で形成されている。一方、吸込グリル２６には、図４に示すように、スライド部４０の略逆Ｔ字形の形状に合わせた案内穴４５が形成されている。この逆Ｔ字状の案内穴４５の幅方向の長さは、スライド部４０の幅方向の長さよりも若干大きく形成されており、逆Ｔ字状の穴の高さ方向の長さは、案内リブ４３の上下方向の長さよりも若干大きく形成されている。この案内穴４５は、挿通されたスライド部４０の上下及び左右の位置を規制すると共に、挿通されたスライド部４０を上側に向けて支持する機能を果たしている。
【００２１】
支持部４６は、図３〜図５に示すように、スライド部４０の後端部の両側にそれぞれ設けられている。この支持部４６は、吸込グリル２６側に設けられた係合支持部４７によって上側に支持されている。また、係合支持部４７は、スライド部４０が突出・退行方向へスライドする全長に亘って支持部４６を支持するようになっている。
【００２２】
一方、バネ部５０は、図３〜図６に示すように、板状に形成された板バネで構成されている。このバネ部５０は、スライド部４０と一体に樹脂成形されており、バネ等を別途用意してバネ部品のそれぞれをサブ組み立てする必要がない。また、樹脂材料は、適度な弾性を有する材料が使用されており、この材料にあわせて、バネ部５０の板厚を設計することもできる。
【００２３】
このバネ部５０は、図３に示すように、スライド部４０の補強リブ４２から両側にそれぞれ延在している。より詳細には、バネ部５０は、幅方向の外側にそれぞれ延在するとともに、補強リブ４２から退行方向Ｂ側に少し傾斜するように形成されている。それぞれの延在方向における先端部５０ａは、吸込グリル２６の本体部に設けられた当接部５２と当接し、突出方向Ａに向けて係止部材３０に付勢力を作用せる。
【００２４】
このバネ部５０の左右の先端部５０ａは、スライド部４０の両側近傍よりも離れた位置、すなわち左右の先端部５０ａ間の距離ができるだけ離れた位置になるようにしている。これにより、スライド部４０のスライド量（移動量）にかかわらず付勢力をできるだけ均等に確保することができ、より安定した付勢力を確保できるようにしている。
【００２５】
次に、本発明の実施の形態に係る吸込グリル２６を化粧パネル２１に取り付けるときの作用について図７〜図９を用いて説明する。
図７は、化粧パネル２１に吸込グリル２６を取り付ける前の状態を示す側部断面図、図８は、図７から吸込グリル２６を化粧パネル２１側に押し込んだ状態であって、係止部材３０が退行している状態を示す図、図９は、化粧パネル２１に吸込グリル２６を取り付けた状態を示す図である。
【００２６】
図７に示すように、化粧パネル２１のグリル取付穴６０に矩形状の吸込グリル２６を合わせた状態では、係止部材３０の傾斜部４３ａがグリル取付穴６０の縁部６０ａに当接する。この状態から吸込グリル２６をさらに化粧パネル２１側に押し込むと、傾斜部４３ａに水平方向への分力が作用する。この分力がバネ部５０の付勢力よりも大きくなると、スライド部４０は、退行方向Ｂへと退行し、図８に示す状態になる。このとき、取付作業者は、係止部材３０を操作することなく、吸込グリル２６を化粧パネル２１側へ押し込む作業だけでよい。
【００２７】
図８の状態からさらに吸込グリル２６を押し込むと、図９に示すように、化粧パネル２１に形成された係止穴６２に、バネ部５０の付勢力によってスライド部４０の先端が嵌り込むようになる。この係止穴６２にスライド部４０が嵌り込んだ状態で、吸込グリル２６は化粧パネル２１とほぼ面一な状態になる。係止穴６２にスライド部４０が嵌り込んだ状態では、スライド部４０が係止穴６２の縁部と当接し、吸込グリル２６を上側に支持することになり、これにより吸込グリル２６が取り付けられた状態になる。
【００２８】
本発明の実施形態に係る天井埋込型空気調和装置によれば、吸込グリル２６には、装着時に化粧パネル２１へ向けて突出し、この化粧パネル２１と係合するスライド部４０と、このスライド部４０を突出及び退行可能に付勢するバネ部５０とで構成される係止部材３０が設けられ、この係止部材３０は、弾性を有する樹脂で一体に成形されているので、作業者が吸込グリル２６を装着する際に、係止部材３０のスライド部４０を手動でスライドさせる必要がなく、取付作業を容易に行うことができる。また、スライド部４０を付勢するためのバネ部品を別途設ける必要がないので、部品点数の増加を少なくすることができる。さらに、吸込グリル２６に係止部材３０をサブ組み立てをする必要がなくなり、組み立て工数も増加しない。
【００２９】
また、バネ部５０は、スライド部４０の幅方向に延在する板バネであるため、樹脂成形する際に、バネ部５０を容易に成形することができる。
さらに、バネ部５０の左右の先端部５０ａの位置を、スライド部４０の両側近傍よりも離れた位置にしているので、スライド量にかかわらず付勢力をできるだけ均等に確保することができ、より安定した付勢力を確保できるようにしている。
【００３０】
さらにまた、スライド部４０は、着脱時に化粧パネル２１と当接してスライド部４０を退行させる傾斜部４３ａを備えているので、作業者は吸込グリル２６を化粧パネル２１に押し込むだけで、傾斜部４３ａに生じる水平分力を利用してスライド部４０を退行させることができ、作業が容易になる。
【００３１】
また、スライド部４０の前部には、化粧パネル２１の係止穴６２に挿入されて係止部材３０を突出方向Ａへ案内する案内部４８を備え、スライド部４０の後部には、化粧パネル２１の係止穴６２と係合して係止部材３０を上下方向に支持する支持部４６とを備えているので、これらの案内部４８、支持部４６で係止部材３０を突出方向Ａ及び退行方向Ｂへとスムーズに案内することができるとともに、この係止部材３０を吸込グリル２６にスライド可能に支持することができる。その結果、係止部材３０をねじ等を用いずに吸込グリル２６に容易に取り付けることができ、組み立て作業が容易になる。
【００３２】
以上、本発明を実施するための最良の形態について述べたが、本発明は既述の実施形態に限定されるものではなく、本発明の技術思想に基づいて各種の変形及び変更が可能である。
本実施の形態では、係止部材３０を４つの角部にそれぞれ配置しているが、吸込グリル２６の形状や重量によってその配置箇所を自由に増減することができる。また、位置についても任意に決定することができる。例えば、吸込グリル２６の一方の側縁部を化粧パネル２１に引っ掛けて固定した後に、他方の側縁部に設けた係止部材３０を化粧パネル２１に押し込んで取り付けるようにしてもよい。
【図面の簡単な説明】
【００３３】
【図１】本発明の実施形態に係る天井埋込型空気調和装置の側部断面図である。
【図２】天井埋込型空気調和装置に取り付けられた化粧パネルの平面図である。
【図３】吸込グリルに設けられた係止部材の平面図である。
【図４】図３の斜視図である。
【図５】図３のＶ−Ｖ断面図である。
【図６】図３のＶＩ方向から見た側面図である。
【図７】化粧パネルに吸込グリルを取り付ける前の状態を示す側部断面図である。
【図８】図７から吸込グリルを上側に押し込んだ状態を示す側部断面図である。
【図９】化粧パネルに吸込グリルを取り付けた状態を示す側部断面図である。
【符号の説明】
【００３４】
１  空気調和機本体
１Ａ  側板
１Ｂ  天板
２  ボルト
３  断熱体
５  モータ
７  羽根車
９  送風機
１１  熱交換器
１１Ａ  下面
１３  ドレンパン
１７  ノズル
２１  化粧パネル
２２  吸込口
２３  吹出口
２５  フィルタ
２６  吸込グリル
２６ａ  外縁部
２７  フラップ
３０  係止部材
４０  スライド部
４１  長穴
４２  補強リブ
４３  案内リブ
４３ａ  傾斜部
４４  ボスビス
４５  案内穴
４６  支持部
４７  係合支持部
４８  案内部
５０  バネ部
５０ａ  先端部
５２  当接部
６０  グリル取付穴
６０ａ  縁部
６２  係止穴（係止部）
Ａ  突出方向
Ｂ  退行方向
【図１】
0005216427.tif 000002
【図２】
0005216427.tif 000003
【図３】
0005216427.tif 000004
【図４】
0005216427.tif 000005
【図５】
0005216427.tif 000006
【図６】
0005216427.tif 000007
【図７】
0005216427.tif 000008
【図８】
0005216427.tif 000009
【図９】
0005216427.tif 000010